(57)【特許請求の範囲】
【請求項１】
出力端子を駆動するための出力ドライバを有し、家庭用電話配線を介してデータ送信を提供するトランシーバを構成する方法であって、
所定のレベルの送信信号を家庭用電話配線に供給するステップを含み、前記供給するステップは、出力端子でＤＣレベルを設定するステップを含み、前記方法は、さらに、
ＤＣレベルを表わす制御された値と予め定められたしきい値レベルとを比較するステップと、
制御された値がしきい値レベルと等しくなるまで出力ドライバを制御するステップとを含む方法。
【請求項２】
出力ドライバはトランシーバの初期化の間に制御される、請求項１に記載の方法。
【請求項３】
出力ドライバは出力端子で設定される高パワーレベルおよび低パワーレベルに対して制御される、請求項１に記載の方法。
【請求項４】
出力ドライバは、ＨＰＮＡ仕様により要件とされる出力ドライブレベルを確立するよう制御される、請求項１に記載の方法。
【請求項５】
家庭用電話配線を通じてデータ通信を提供するためのトランシーバであって、
所定のレベルの送信信号を家庭用電話配線に供給するように構成される出力ドライバと、
出力ドライバの出力で設定されるＤＣレベルと予め定められるしきい値信号とを比較して、前記比較結果に応答して送信信号を所定のレベルに維持するよう出力ドライバを制御するように構成される出力ドライブ制御システムとを含む、トランシーバ。
【請求項６】
出力ドライブ制御システムは、出力で設定されるＤＣレベルを表わす制御された信号としきい値信号とを比較するように構成されるコンパレータ回路を含む、請求項５に記載のトランシーバ。
【請求項７】
出力ドライブ制御システムはさらに、コンパレータ回路に応答して、制御された信号がしきい値信号に等しくなるまで出力ドライバを制御するように構成されるドライブ制御回路を含む、請求項６に記載のトランシーバ。
【請求項８】
家庭用電話配線からの入来信号を受信するように構成される入力回路をさらに含む、請求項７に記載のトランシーバ。
【請求項９】
出力ドライブ制御システムはさらに、通常動作モードの間は入力回路をコンパレータ回路に接続し、出力ドライブレベル制御の動作モードの間はＤＣレベルを表わす制御された信号を供給するように構成されるマルチプレクサを含む、請求項８に記載のトランシーバ。
【請求項１０】
出力ドライブレベル制御の動作モードはトランシーバの初期化の間に実行される、請求項９に記載のトランシーバ。
【発明の詳細な説明】
【０００１】
【発明の分野】
この発明はネットワークをインターフェイスすること、さらに特定には現存する家庭用電話配線を通じたデータ通信用の家庭用ネットワーク化トランシーバ内の自動出力ドライブレベル制御システムに関する。
【０００２】
【背景技術】
ローカルエリアネットワークは、ネットワークケーブル、または他の媒体を用いてネットワーク上のステーションをリンクする。各ローカルエリアネットワークアーキテクチャは、メディアアクセス制御（ＭＡＣ）を用い、各ステーションでネットワークインターフェイスカードが媒体へのアクセスを共有できるようにする。
【０００３】
従来のローカルエリアネットワークアーキテクチャは、メディアアクセスコントローラを用いるが、それは半二重または全二重のイーサネット（Ｒ）（ＡＮＳＩ／ＩＥＥＥ基準８０２．３）プロトコルに従って作動し、１０ＢＡＳＥ−Ｔ等所定のネットワーク媒体を用いる。より新しいオペレーティングシステムは、ネットワークステーションがネットワークの存在を検出可能であることを要件とする。イーサネット（Ｒ）１０ＢＡＳＥ−Ｔ環境では、ネットワークが物理層（ＰＨＹ）トランシーバによるリンクパルスの送信によって検出される。１０ＢＡＳＥ−Ｔの媒体上の周期的リンクパルスはＰＨＹレシーバにより検出され、それは周期的リンクパルスの検出に基づいてネットワーク媒体上に送信する他のネットワークステーションの存在を判断する。したがって、ステーションＡのＰＨＹトランシーバは、データパケットの送信または受信をせずにステーションＢの存在を検出することが可能で、ステーションＢのＰＨＹ送信機から１０ＢＡＳＥ−Ｔの媒体上にリンクパルスを受信する。
【０００４】
確立されたローカルエリアネットワーク媒体、たとえば１０ＢＡＳＥ−Ｔ等の代わりに、従来のツイストペアの電話線を用いてコンピュータを互いにリンク可能にするアーキテクチャ開発の努力が進んでいる。家庭用電話配線ネットワーク環境としてここに示されるこのような構成は、すでに在る家庭の電話配線が家庭用ネットワーク環境を実現するのに使用されてもよいという利益を提供する。しかし、電話回線は本来ノイズが入る。というのも家庭内の電気装置、たとえば家庭用電気器具の調光器スイッチおよび変圧器等によってスプリアスノイズが起きるためである。さらに、ツイストペアの電話線は、標準的なプレーンオールドテレフォンシステム（ＰＯＴＳ）の電話に由来する、受話器のかけ外しとノイズパルス、暖房および空調システム等の電気システム等により、電源を入れる際に過度電流を被る。
【０００５】
電話配線ネットワークのさらなる問題は、送信される波形の信号状態（すなわち形状）が配線トポロジに大いに左右されることである。ツイストペアの電話線媒体中の多くのブランチ接続、およびそれに関連するさまざまなブランチ接続の長さは送信されるネットワーク信号上に多数の信号反射を引き起こす恐れがある。電話配線トポロジのため、１つのネットワークステーションからのネットワーク信号は１０から２０ミリボルトのオーダ上のピーク・ピーク電圧を持ち、一方、他のネットワークステーションからのネットワーク信号は１から２ボルトのオーダ上に値を持つ可能性がある。したがって、受信パルスの振幅と形状は大きく歪むかもしれず、受信パルスからの送信データの回復は実質上難しくなる。
【０００６】
家庭用電話配線ネットワーク環境内でコミュニケーションを援助する装置は、ホームフォンラインネットワーキングアライアンス（ＨＰＮＡ）によって確立された要件を満たさなければならない。このような要件は１９９８年に公開されたＨＰＮＡ仕様１．０の中に開示される。たとえば１．０仕様は家庭用ネットワーク化トランシーバの出力特性に制限を課す。
【０００７】
さらに、家庭用ネットワーク化トランシーバ内の出力ドライブ回路のパラメータはチップ毎におよびラン毎に多様である。これらのパラメータの変動は、家庭用ネットワーク化トランシーバの出力ドライブレベルの変化を結果的に生ずる。したがって、家庭用ネットワーキング化トランシーバに自動出力ドライブレベル制御システムを設けるのが望ましいであろう。
【０００８】
【発明の開示】
この発明は、出力端子を駆動するための出力ドライバを有し、家庭用配線を介してデータの送信を提供するトランシーバを構成する新規な方法を提供する。この方法は出力端子で直流レベルを設定するステップと、直流レベルを表わす値と予め定められたしきい値レベルとを比較するステップと、この値がしきい値レベルと等しくなるまでトランシーバの出力ドライバを制御するステップとを含む。たとえば、出力ドライバはトランシーバの初期化の間に制御されてもよい。
【０００９】
好ましい実施例に従い、出力ドライバは高パワー出力レベルおよび低パワー出力レベルに対して制御され、ＨＰＮＡ仕様に従った、対応する出力ドライブレベルの設定をするとよい。
【００１０】
この方法は、家庭用配線を通じてデータ通信を提供するためのトランシーバであって、家庭用配線に規定されたレベルで送信信号を供給するための出力ドライバを有するトランシーバ内、および出力ドライバの出力で設定される直流レベルと予め定められたしきい値信号とを比較して出力ドライブを制御し、所定のレベルで送信信号を維持するための出力ドライブ制御システム内に実施されてもよい。
【００１１】
出力ドライブ制御システムは、出力で設定される直流レベルを表わす制御された信号と、しきい値信号とを比較するコンパレータ回路を含んでよい。ドライブ制御回路はコンパレータ回路に応答して、制御された信号がしきい値信号に等しくなるまで出力ドライバを制御するとよい。
【００１２】
また、出力ドライブ制御システムは、たとえばトランシーバの初期化の間に実行される出力ドライブレベル制御動作モードにおいて、直流レベルを表わす制御された信号をコンパレータ回路に供給するマルチプレクサを含んでもよい。通常の動作モードにおいて、このマルチプレクサはトランシーバの入力回路をコンパレータ回路に接続してもよい。
【００１３】
この発明の他の目的および利点は、以下の詳細な記述から当業者にとって容易に明らかになるであろうが、ここではこの発明を実施するように意図された最良の態様を単に示すことにより、この発明の好ましい実施例が示されかつ記述されているに過ぎない。認識されるように、この発明は他のおよび異なる実施例が可能であり、さらにそのいくつかの詳細は、すべてこの発明から逸脱することなく、さまざまな自明の点で修正可能である。したがって、図と詳細は本質的に例示と考えられるべきで、制限的に考えられるべきではない。
【００１４】
【この発明を実施するための最良の態様】
図１は、この発明の実施例に従った家庭用電話配線ネットワーク１０の図であり、ツイストペアの電話配線等現存する家庭用配線をネットワーク媒体として用いる。図１に示されるように、イーサネット（Ｒ）（ＩＥＥＥ８０２．３）基準を支持するネットワーク１０は、ＲＪ−１１電話ジャック１６ａおよび１６ｂをそれぞれ介してツイストペアの電話配線１４に接続されるネットワークステーション１２ａおよび１２ｂを含む。ＲＪ−１１電話ジャック１６ｃに接続される電話１８では、ステーション１２ａおよび１２ｂが通信中でも電話をかけ続けることができる。
【００１５】
図１に示されるように、各ネットワークステーション１２、たとえばパーソナルコンピュータ、プリンタ、情報処理能力を有する民生用電子機器は物理層（ＰＨＹ）トランシーバ２０と、メディアアクセス（ＭＡＣ）層２２と、ＯＳＩ基準モデルに従ってより上位層の機能を果たすオペレーションシステム（ＯＳ）層とを含む。たとえばＨＰＮＡ仕様１．０に従う家庭用ネットワーク化トランシーバをＰＨＹトランシーバ２０として用いてもよい。
【００１６】
ステーション１２ａおよび１２ｂは、アナログネットワーク信号に変調されたネットワークデータを運ぶ帯域制限されたパルスを送信することにより、通信する。特に、物理層の送信機は図２Ａに示されるように帯域制限されたパルス５を送信する。受信パルスの到着位置は図２Ｂに示されるように、受信信号の絶対値６を表わす波形包絡線８を用いて検出される。包絡線８は以下に記述されるスライス回路に供給され、しきい値レベル９は受信パルスの到着位置１１を識別するよう選択される。包絡線８がしきい値レベル９を横切ると、スライス回路はデータパターンを表わす事象としてパルスの到着位置１１を検出する。この事象は受信信号から送信クロックおよび送信データを回復させるのに用いることができる。
【００１７】
しかし、電話配線ネットワークでは、受信される波形包絡線が配線トポロジに大きく作用される。配線トポロジが多数の信号反射を引き起こす恐れがあるので、受信パルスの形が大きく歪む恐れがあり、包絡線が多数の局所的最大点を有する可能性がある。さらに、家庭用ネットワークの配線トポロジは可変である。したがって受信パルスの歪みは予測不可能であり、図２Ｃに示されるような波形２６を結果的に生ずる。図２Ｃに示されるように、受信パルス信号の歪んだ波形２６は配線トポロジにより、多数の局所的な最大点２６ａおよび最小点２６ｂを有する。図２Ｄは歪んだ波形２６の波形包絡線２８を示す。
【００１８】
図３はこの発明の実施例に従った物質層トランシーバ２０のブロック図である。図３に示されるように、物理層トランシーバ２０は相補入力／出力端子ＴｘＲｘ＿ＰｏｓおよびＴｘＲｘ＿Ｎｅｇに接続される入力増幅器３０を含み、図２Ｃに示されるネットワーク信号等の電話媒体から受信されるアナログネットワーク信号を増幅する。物理層トランシーバ２０はさらに包絡線検波回路３４およびエネルギ検出回路３６を含む信号条件付け回路３２を含む。包絡線検波回路３４は、増幅された受信信号２６に応答して包絡線信号２８を発生させる。たとえば、包絡線検波器３４は、増幅された受信信号２６の絶対値を表わす絶対値信号３９を発生させる絶対値回路（たとえば整流器）、および整流器回路に結合されて整流された信号の高周波成分をフィルタにかけて取り除き、結果的に包絡線信号２８を生ずる低域フィルタを含む。包絡線信号２８は包絡線検波器３４から出力され、さらにエネルギ検出器３６へ供給される。エネルギ検出器３６は、時間にわたって包絡線信号２８の積分の数学的処理を行なう積分器を含み、受信パルス信号のエネルギに比例した信号を生成する。
【００１９】
図３に示されるように、物理層トランシーバ２０はさらに、スライス回路３８ａ、３８ｂ、３８ｃおよび３８ｄと、アナログしきい値信号をスライス回路３８に供給するためのデジタルアナログ（Ｄ／Ａ）コンバータ４０とを含む。物理層トランシーバ２０はさらに、デジタルアナログコンバータ４０を制御して、スライス回路３８に供給されるしきい値信号を出力させるために構成されるデジタルコントローラを含む。
【００２０】
デジタルコントローラ４１は、スライサ３８によってデジタルコントローラ４１に供給された信号に基づきスライサ３８ａ、３８ｂ、３８ｃおよび３８ｄに適用されるしきい値を制御するために構成される。特に、スライス回路３８ａはピーク事象信号を出力し、デジタルコントローラ４１の制御の下で、包絡線信号２８がデジタルアナログコンバータ４０により供給されるピークしきい値（Ｐ）を超えるかどうかを時間に対して示す。スライス回路３８ｂおよび３８ｃはデータ事象信号およびノイズ事象信号を出力し、包絡線信号２８がそれぞれデータ遷移しきい値（Ｄ）およびノイズしきい値（Ｎ）を超えるかどうかを時間に対して示す。スライス回路３８ｄはエネルギ事象信号を出力し、エネルギ検出器３６により出力されるエネルギ信号がＤ／Ａコンバータ４０により供給されるエネルギしきい値（Ｅ）を超えるかどうかを時間に対して示す。
【００２１】
したがってスライス回路３８ａ、３８ｂ、および３８ｃはピーク信号、データ遷移信号およびノイズ事象信号を出力し、包絡線信号２８がそれぞれピークしきい値（Ｐ）、データ遷移しきい値（Ｄ）およびノイズしきい値（Ｎ）を超えるかどうかを時間に対して示す。スライサ３８ｄはエネルギ事象信号を出力し、エネルギ検出器３６からのエネルギ信号がエネルギしきい値（Ｅ）を超えるかどうかを時間に対して示す。
【００２２】
デジタルコントローラ４１はスライサ３８ｃおよび３８ａによってそれぞれ出力されたノイズ事象信号およびピーク事象信号に基づく、ノイズ、ピーク、データ遷移およびエネルギしきい値を制御し、さらに、エネルギ事象信号またはデータ事象信号を用いて検出される受信パルスの到着位置に基づくデジタルデータ信号を生じる。デジタルデータ信号は媒体に依存しないインターフェイス（ＭＩＩ）５０を介してメディアアクセスコントローラ２２へ出力される。
【００２３】
物理層トランシーバ２０はさらに、出力ドライバ５２（たとえば電流増幅器）を含み、デジタルコントローラ４１により生ずる送信データ（ＴｘＰ）を相補入力／出力端子ＴｘＲｘ＿ＰｏｓおよびＴｘＲｘ＿Ｎｅｇを介して供給されるアナログネットワーク信号に変換する。アナログネットワーク信号は、デジタルコントローラ４１によって出力された７ビットの送信利得（ＴｘＧａｉｎ）信号出力に基づいた１２８の出力利得値のうち選択された１つで出力される。
【００２４】
さらに、物理層トランシーバ２０は出力インターフェイス４２を含み、媒体に依存しないインターフェイス（ＭＩＩ）から汎用直列インターフェイス（ＧＰＳＩ）へのコンバータ４４、管理インターフェイス理論４６、およびバス４８ａと４８ｂとを含む。バス４８ａはＧＰＳＩフォーマットでＭＡＣ２２とデジタルコントローラ４１との間で送信および受信データを転送する。コンバータ４４はＧＰＳＩフォーマットデータをニブル幅データへ変換し、ＭＩＩ５０を介してＭＡＣ２２へ転送する。同様に、ＭＩＩ５０を介して供給されたＭＡＣ２２からの送信データはニブル幅データからＧＰＳＩフォーマットへと変換され、ＧＰＳＩデータバス４８ａを介してデジタルコントローラ４１へ供給される。
【００２５】
出力インターフェイス４２はさらに制御データバス４８ｂを含み、デジタルコンバータ４１と管理インターフェイス理論４６との間で構成データおよび状態情報を転送する。特に、管理インターフェイス理論４６は、ＭＡＣ２２からＭＩＩ５０を介し、デジタルコントローラ４１内で受信される構成データを、選択された制御レジスタ６０で記憶するために構成される。エネルギ検出スライス回路３８ｄに対するしきい値Ｅは管理エージェントによりＭＩＩ５０を介して供給され、構成レジスタ６０内に設定されてもよいことに注目されたい。デジタルコントローラ４１はさらに状態レジスタ６２を含み、たとえばしきい値信号Ｐ、ＤおよびＥに対するしきい値と、７ビット出力増幅器利得制御信号ＴｘＧａｉｎとを含む。
【００２６】
出力インターフェイス４２はさらにリンク検出論理４７を含み、有効なリンクがネットワーク媒体１４上に検出されるかどうかを決定する。各々が約８００ミリセカンドの好ましい継続時間を有する、３回連続した検出インタバル中に、有効なアクセス特定（ＡＩＤ）シーケンスが検出されないと、リンク状態は移行状態へ送られる。ＡＩＤは１０ＢＡＳＥ−Ｔイーサネット（Ｒ）（ＩＥＥＥ８０２．３）内で従来用いられたプリアンブルにとって代わる。ＡＩＤは各ネットワークステーション１２に独自の特定識別子である。たとえばＡＩＤは、電話媒体上で送信ステーションのＰＨＹトランシーバ２０から出力される一連の８つのパルスであってよく、第１のパルスとそれに連続する７つのパルスとの間の時間インタバルがそれぞれの値を規定する。たとえば第２のパルスが第１のパルスに続き、時間インタバルＴ１の後、ＰＨＹトランシーバ２０により出力されると仮定されたい。
Ｔ１が６６クロックサイクル（１１６ナノセカンドクロックと仮定する）に等しければその対応値は００であり、Ｔ１が８６、１０６、または１２６クロックサイクルに等しければその値はそれぞれ０１、１０、または１１であり、そこでのパルス間の最大インタバルは１２８クロックサイクルである。同じ構成が第１のパルスと、第２のパルスに続く各６つのパルスとの間の時間インタバルＴ２、Ｔ３、Ｔ４、Ｔ５、Ｔ６およびＴ７を表わす値を検出するのに用いられる。したがって、有効なＡＩＤの存在は、予め定められた継続時間、たとえば１２８クロックサイクルを有する検出窓を用いて第１のパルスを検出し、さらに７つの連続するパルスの存在を検出することにより、決定することができる。
【００２７】
ＡＩＤインタバル９０を規定するのに用いられる包絡線パルス２８のシーケンスを示す図４に示されるように、８つのＡＩＤ包絡線パルス２８ａ、２８ｂ、２８ｃ、２８ｄ、２８ｅ、２８ｆ、２８ｇおよび２８ｈは、最後の包絡線パルス２８ｈの後に続く包絡線パルス２８ｉで始まるデータパケットの前に挿入される。上述のとおり、包絡線パルス２８は包絡線検波器３４により、受信されたネットワーク信号５に応答して発生される。
【００２８】
プロセスの変化により、物理層トランシーバ２０の出力ドライブレベル等の出力特性は、実質的にラン毎に変化する。適正レベルからの出力ドライブレベルのあらゆる偏移を正すのに、この発明の物理層トランシーバ２０は、図５で概略的に示される自動出力ドライブレベル制御システム１００を含む。システム１００はトランシーバ２０の出力でのレベルと予め設定されたしきい値レベルとを比較して、出力ドライバ５２の出力レベルを制御するよう用いられるレベル制御信号を生じる。
【００２９】
たとえば、自動出力ドライブ制御システム１００は、物理層トランシーバ２０の相補入力／出力端子ＴｘＲｘ＿ＰｏｓおよびＴｘＲｘ＿Ｎｅｇでの出力ドライブレベルを別々に制御してよい。通常動作の間、端子ＴｘＲｘ＿ＰｏｓおよびＴｘＲｘ＿Ｎｅｇは他のネットワークステーション１２へ送信される相補アナログネットワーク信号を供給する。出力ドライブレベル制御動作モードにおいて、たとえばリセット動作の間または直後に自動出力ドライブレベル制御システム１００は、端子ＴｘＲｘ＿ＰｏｓおよびＴｘＲｘ＿Ｎｅｇで設定されるＤＣレベルを用い、トランシーバ２０の出力ドライブレベルを適正値、たとえばＨＰＮＡ仕様１．０により要件とされる出力ドライブ電圧に調整する。
【００３０】
自動出力ドライブレベル制御システム１００はコンパレータ回路１０２を含み、端子ＴｘＲｘ＿ＰｏｓおよびＴｘＲｘ＿Ｎｅｇで設定されるＤＣレベルと予め設定されるしきい値とを比較して、出力ドライバ５２を制御するためのドライブ制御回路１０４に供給されるレベル制御信号を生成する。たとえば、デジタルコントローラ４１はドライブ制御回路１０４として動いてよい。
【００３１】
コンパレータ回路１０２の制御された入力はマルチプレクサ１０６の出力に接続され、その第１の入力は端子ＴｘＲｘ＿Ｐｏｓに接続され、第２の入力は端子ＴｘＲｘ＿Ｎｅｇに結合され、さらに第３の入力はトランシーバ２０の入力増幅回路１０８に結合される。たとえば、コンパレータ回路１０２の第３の入力は包絡線検波器３４の出力に接続されてもよい。スライサ３８ａ、３８ｂまたは３８ｃはコンパレータ回路１０２として用いられることもある。固定された減衰器１１０および１１２はそれぞれ端子ＴｘＲｘ＿ＰｏｓおよびＴｘＲｘ＿Ｎｅｇと対応するマルチプレクサ１０６の入力との間に接続されてよい。たとえば、減衰器１１０および１１２は６の比で減衰を提供してもよい。
【００３２】
トランシーバ２０の通常動作の間、マルチプレクサ１０６は入力増幅回路１０８の出力をコンパレータ回路１０２に供給し、スライサ３８ａ、３８ｂまたは３８ｃがコンパレータ回路１０２として用いられるかどうかに従って、ピーク事象信号、データ事象信号、またはノイズ事象信号を生成する。しかし、出力ドライブレベル制御の動作モードにおいて、たとえばリセット動作の間または直後にドライブ制御回路１０４はマルチプレクサ１０６を制御し、コンパレータ回路１０２の制御された入力へ端子ＴｘＲｘ＿Ｐｏｓで設定されたＤＣレベルを表わす信号を送る。
【００３３】
コンパレータ回路１０２はその制御された入力での信号としきい値レベルとを比較し、比較された信号間の違いを表わすレベル制御信号を生成する。レベル制御信号は、出力ドライバ５２を制御するドライブ制御回路１０４へ供給され、コンパレータ１０２の制御された入力での信号がしきい値レベルより高い場合はＴｘＲｘ＿Ｐｏｓ端子でのレベルを低減させ、またはコンパレータ１０２の制御された入力での信号がしきい値レベルより低い場合はＴｘＲｘ＿Ｐｏｓ端子でのレベルを増大させる。
【００３４】
制御の手順はコンパレータ１０２の制御された入力での信号がしきい値レベルに等しくなるまで続く。たとえば、ドライブ制御回路１０４は、コンパレータ１０２の制御された入力での信号がしきい値レベルと等しくなるまで出力ドライバ５２に供給される利得制御信号ＴｘＧａｉｎの値を増加または減少させてもよい。
【００３５】
端子ＴｘＲｘ＿Ｐｏｓで適正ドライブレベルが確立された後、マルチプレクサ１０６は制御されて、端子ＴｘＲｘ＿Ｎｅｇで設定されるＤＣレベルを表わす信号をコンパレータ１０２の制御された入力へ渡す。ドライブ制御回路１０４は制御された入力での信号がしきい値レベルと等しくなるまで出力ドライバ５２を制御する。
【００３６】
この発明の好ましい実施例では、出力ドライブレベルはトランシーバ２０の高パワーレベルと低パワーレベルとに対して調整される。たとえば出力ドライブレベル制御の手順は端子ＴｘＲｘ＿ＰｏｓまたはＴｘＲｘ＿Ｎｅｇで所望の高パワー出力の設定をすることに始まってもよい。対応する端子ＴｘＲｘ＿ＰｏｓまたはＴｘＲｘ＿Ｎｅｇで設定される高パワー出力レベルは、或るＤＣレベル、たとえば２Ｖであってもよく、ＨＰＮＡ仕様１．０内に規定されるハイレベルの制限波送信信号に対応する。
【００３７】
減衰器１１０または１１２を介し、ＤＣレベルはコンパレータ１０２の制御された入力へ供給され、しきい値レベルと比較される。コンパレータ１０２により生成されたレベル制御信号に応答して、ドライブ制御回路１０４は制御された入力でのレベルがしきい値レベルに等しくなるまで出力ドライブレベルを調整する。その後、対応する端子ＴｘＲｘ＿ＰｏｓまたはＴｘＲｘ＿Ｎｅｇでの出力ドライブレベルは所望の低パワー出力レベルに対して調整されてもよい。対応する端子ＴｘＲｘ＿ＰｏｓまたはＴｘＲｘ＿Ｎｅｇで設定される低パワー出力レベルは或るＤＣレベル、たとえば１Ｖであってもよく、ＨＰＮＡ仕様１．０中に規定される制限波送信信号のローレベルに対応する。しきい値はＨＰＮＡ仕様１．０により要件とされる出力ドライブレベルを提供するよう選択される。上述のとおり、出力ドライブレベル制御の手順は端子ＴｘＲｘ＿ＰｏｓおよびＴｘＲｘ＿Ｎｅｇの各々に対し行なわれてよい。
【００３８】
当業者はこの発明が、この発明の概念の精神と範囲の中で多数の修正の余地を有することを認識するであろう。たとえば、出力ドライブ制御の手順は多数の異なる方法で実行されてよい。
【００３９】
上では何がこの発明の好ましい実施例と考えられるかを記述したが、そこでさまざまな修正がなされる可能性があること、この発明がさまざまな形態や実施例で実施される可能性があること、およびそれが多数の適用に応用される可能性があり、ここではその僅か数例が記述されているに過ぎないことが理解される。それは前掲の請求項により、この発明の真の範囲に属するすべてのそのような修正および変形を主張するため意図される。
【図面の簡単な説明】
【図１】  家庭用ツイストペアの配線を通じて配置されたローカルエリアネットワークを示すブロック図である。
【図２Ａ】  この発明の１実施例に従った、図１の物理層トランシーバにより受信された波形の処理を示す図である。
【図２Ｂ】  この発明の１実施例に従った、図１の物理層トランシーバにより受信された波形の処理を示す図である。
【図２Ｃ】  この発明の１実施例に従った、図１の物理層トランシーバにより受信された波形の処理を示す図である。
【図２Ｄ】  この発明の１実施例に従った、図１の物理層トランシーバにより受信された波形の処理を示す図である。
【図３】  この発明の１実施例に従った、図１の物理層トランシーバのアーキテクチャを示すブロック図である。
【図４】  この発明のアクセス識別間隔を示す図である。
【図５】  この発明の自動出力ドライブ制御の構成を示すブロック図である。
【図１】
0004636763.tif 000002
【図２Ａ】
0004636763.tif 000003
【図２Ｂ】
0004636763.tif 000004
【図２Ｃ】
0004636763.tif 000005
【図２Ｄ】
0004636763.tif 000006
【図３】
0004636763.tif 000007
【図４】
0004636763.tif 000008
【図５】
0004636763.tif 000009